(57)【特許請求の範囲】
【請求項１】
ランプ、該ランプからの光で照明される画像表示装置、該画像表示装置で生成された画像を投射する投射レンズ、および前記ランプを冷却するファンを有し、前記ランプがＯＦＦされた後に前記ファンを利用して該ランプを冷却するプロジェクタのクールダウン処理において、
前記ランプの点灯回数をカウントする工程と、
前記クールダウン処理の正常終了を監視する工程と、
前記正常終了が確認された場合にそれを正常終了としてカウントする工程と、前記工程でカウントされたランプの点灯回数およびクールダウン処理の正常終了回数とを読み出し可能に記憶する工程とを、
備えたことを特徴とするクールダウン処理正否カウント方法。
【請求項２】
ランプ、該ランプからの光で照明される画像表示装置、該画像表示装置で生成された画像を投射する投射レンズ、および前記ランプを冷却するファンを有し、前記ランプがＯＦＦされた後に前記ファンを利用して該ランプを冷却するプロジェクタのクールダウン処理において、
前記クールダウン処理の終了状態を監視しその終了が異常終了となった場合には異常終了の発生を示す情報を保持しておく工程と、
次回の電力投入時に前記情報の有無を確認し該情報がある場合には前回のクールダウン処理を異常終了としてカウントする工程と、
前記工程でカウントされた結果を読み出し可能に記憶する工程とを、
備えたことを特徴とするクールダウン処理正否カウント方法。
【請求項３】
ランプ、該ランプからの光で照明される画像表示装置、該画像表示装置で生成された画像を投射する投射レンズ、および前記ランプを冷却するファンを有し、前記ランプがＯＦＦされた後に前記ファンを利用して該ランプを冷却するクールダウン機能を備えたプロジェクタであって、
前記ランプの点灯回数をカウントする点灯回数カウント手段と、
前記クールダウンの正常終了を監視するモニタ手段と、
前記モニタ手段で正常終了が確認された場合にそれを正常終了としてカウントする正常終了回数カウント手段と、
前記点灯回数カウント手段および前記正常終了回数カウント手段でカウントされた結果を記憶するメモリとを、
備えたことを特徴とするプロジェクタ。
【請求項４】
前記モニタ手段は、前記ファンの動作時間を測定し、その測定された時間と予め定めた所定時間との比較に基づき前記クールダウンの正常終了を確認するものであることを特徴とする請求項３記載のプロジェクタ。
【請求項５】
前記モニタ手段は、前記プロジェクタの内部温度を測定し、その測定された温度と予め定めた所定温度との比較に基づき前記クールダウンの正常終了を確認するものであることを特徴とする請求項３記載のプロジェクタ。
【請求項６】
ランプ、該ランプからの光で照明される画像表示装置、該画像表示装置で生成された画像を投射する投射レンズ、および前記ランプを冷却するファンを有し、前記ランプがＯＦＦされた後に前記ファンを利用して該ランプを冷却するクールダウン機能を備えたプロジェクタであって、
前記クールダウン処理の終了状態を監視しその終了が異常終了となった場合にはその異常終了の発生を示す情報を保持しておくモニタ手段と、
次回の電力投入時に前記モニタ手段にアクセスしそこに異常終了の発生を示す情報がある場合には前回のクールダウン処理を異常終了としてカウントする異常終了回数カウント手段と、
前記異常終了回数カウント手段でカウントされた結果を記憶するメモリとを、備えたことを特徴とするプロジェクタ。
【請求項７】
前記モニタ手段は、前記ファンの動作時間を測定するタイマであって、前記異常終了時にはその時の測定時間を保持することを特徴とする請求項６記載のプロジェクタ。
【請求項８】
前記モニタ手段は、前記プロジェクタの内部温度を測定する温度計であって、前記異常終了時にはその時の測定温度を保持することを特徴とする請求項６記載のプロジェクタ。
【発明の詳細な説明】
【０００１】
【発明の属する技術分野】
本発明はプロジェクタに係り、特にその使用終了時などにランプを冷却するクールダウン処理の正常終了または異常終了の計数および記憶に関する。
【０００２】
【従来の技術】
プロジェクタにおいては、照明用ランプがＯＮされていた後、電源ＯＦＦなどによりそのランプがＯＦＦされた場合には、全ての回路をＯＦＦする前に、使用により高温となったそのランプを冷却する必要がある。このため、プロジェクタには、照明用ランプがＯＦＦされてもファンの動作はしばらくの間継続させて、所定の時間の経過後あるいはランプが所定の温度以下となった時にその動作を停止させる、いわゆるクールダウン機能を持たせている。このクールダウンが正常に実行されないと、ランプの寿命が短くなったり性能が低下したりすることにつながる。また、画像表示装置として用いられている液晶パネルにも悪影響を及ぼすことになりかねない。
【０００３】
【発明が解決しようとする課題】
クールダウンは上記のように重要な操作であるにもかかわらず、そのクールダウンには通常３０〜６０秒程度の時間を要するため、利用者は、無意識にまたは故意にクールダウンを正しく実行させることなく、プロジェクタへ入るＡＣ１００Ｖなどの電源を遮断してしまうということが多々起こっている。しかし、従来は、クールダウンが正しく実行されたかどうかを判断する手段がなかったため、後にプロジェクタの動作に異常を来たしても、それがクールダウンの異常終了に起因するものかどうかを判別することは極めて困難であった。
【０００４】
本発明は、上記課題に鑑みてなされたもので、プロジェクタの終了時などにおけるクールダウン処理の終了状態を監視してその正常終了または異常終了の回数をカウントして内部に記憶させておき、後の修理などの際にそれらのデータを参照できるようにして、クールダウンの不適切な実行に関連する不具合の発見に寄与しうるプロジェクタを提供することを目的とする。
【０００５】
【課題を解決するための手段】
本発明は上記課題に対処するため、以下のような構成を採用する。
【０００６】
ランプ、該ランプからの光で照明される画像表示装置、該画像表示装置で生成された画像を投射する投射レンズ、および前記ランプを冷却するファンを有し、前記ランプがＯＦＦされた後に前記ファンを利用して該ランプを冷却するプロジェクタのクールダウン処理において、前記ランプの点灯回数をカウントする工程と、前記クールダウン処理の正常終了を監視する工程と、前記正常終了が発見された場合にそれを正常終了としてカウントする工程と、前記工程でカウントされたランプの点灯回数およびクールダウン処理の正常終了回数とを読み出し可能に記憶する工程とを備える。これにより、後の修理などの際に、ランプの点灯回数とクールダウンの正常終了回数とを読み出して、クールダウンが正しく実行されなかった回数を知ることができる。
【０００７】
また、ランプ、該ランプからの光で照明される画像表示装置、該画像表示装置で生成された画像を投射する投射レンズ、および前記ランプを冷却するファンを有し、前記ランプがＯＦＦされた後に前記ファンを利用して該ランプを冷却するプロジェクタのクールダウン処理において、前記クールダウン処理の終了状態を監視しその終了が異常終了となった場合には異常終了の発生を示す情報を保持しておく工程と、次回の電力投入時に前記情報の有無を確認し該情報がある場合には前回のクールダウン処理を異常終了としてカウントする工程と、前記工程でカウントされた結果を読み出し可能に記憶する工程とを備える。これにより、後の修理などの際に、クールダウンの異常終了回数すなわちクールダウンが正常に実行されなかった回数を直接読み出すことができる。
【０００８】
さらに、ランプ、該ランプからの光で照明される画像表示装置、該画像表示装置で生成された画像を投射する投射レンズ、および前記ランプを冷却するファンを有し、前記ランプがＯＦＦされた後に前記ファンを利用して該ランプを冷却するクールダウン機能を備えたプロジェクタであって、前記ランプの点灯回数をカウントする点灯回数カウント手段と、前記クールダウンの正常終了を監視するモニタ手段と、前記モニタ手段で正常終了が確認された場合にそれを正常終了としてカウントする正常終了回数カウント手段と、前記点灯回数カウント手段および前記正常終了回数カウント手段でカウントされた結果を記憶するメモリとを備える。これによれば、後の修理などの際にプロジェクタのメモリを参照することで、ランプの点灯回数とクールダウンの正常終了回数との差から、クールダウンが正しく実行されなかった回数を知ることができ、不良解析の手がかりとなる。
【０００９】
なお、前記モニタ手段は、前記ファンの動作時間を測定し、その測定された時間と予め定めた所定時間との比較に基づき前記クールダウンの正常終了を認識するもの、または、前記プロジェクタの内部温度を測定し、その測定された温度と予め定めた所定温度との比較に基づきクールダウンの正常終了を認識するもの、とすることができる。
【００１０】
また、ランプ、該ランプからの光で照明される画像表示装置、該画像表示装置で生成された画像を投射する投射レンズ、および前記ランプを冷却するファンを有し、前記ランプがＯＦＦされた後に前記ファンを利用して該ランプを冷却するクールダウン機能を備えたプロジェクタであって、前記クールダウン処理の終了状態を監視しその終了が異常終了となった場合にはその異常終了の発生を示す情報を保持しておくモニタ手段と、次回の電力投入時に前記モニタ手段にアクセスしそこに異常終了の発生を示す情報がある場合には前回のクールダウン処理を異常終了としてカウントする異常終了回数カウント手段と、前記異常終了回数カウント手段でカウントされた結果を記憶するメモリとを備える。これによれば、後の修理などの際にプロジェクタのメモリを参照することで、クールダウンが異常終了された回数を直接知ることができる。
【００１１】
なお、前記モニタ手段は、前記ファンの動作時間を測定するタイマとし異常終了時にはその時の測定時間を保持させるようにすること、あるいは、前記プロジェクタの内部温度を測定する温度計とし異常終了時にはその時の測定温度を保持させるようにすることができる。
【００１２】
【発明の実施の形態】
以下に、本発明の実施の形態を説明する。
（ｉ）プロジェクの主な構成
図１は本発明の実施形態に係るプロジェクタの外観を示す斜視図である。このプロジェクタ１は、その各構成要素が外装ケース２に収納されてなり、外装ケース２の前面には、投射レンズ３が配置されている。また、外装ケース２の前面には、後述する照明用ランプへの電力供給をＯＮ／ＯＦＦする電源スイッチ４、電源スイッチ４のＯＮ状態を表示する電源ＯＮ表示ＬＥＤ５、電源スイッチ４はＯＦＦされているが照明用ランプのクールダウン処理が実行中であることを示すクールダウンＯＮ表示ＬＥＤ６などが配置されている。さらに、プロジェクタ１の後部には、ＡＣ１００Ｖなどの商用電源に接続するためのプラグ付き電源コード７が伸縮自在に備えられ、後述する電源回路に接続されている。
【００１３】
図２は本発明の実施形態に係るプロジェクタの主な構成を示すブロック図である。このプロジェクタ１は、照明用ランプ１１、ランプ１１の照明光を、赤（Ｒ）、緑（Ｇ）、青（Ｂ）の光に分離する色光分離光学系１２、分離された各色光がそれぞれ照射され所定の画像情報に従って画像を表示する光変調素子としての液晶パネル１３Ｒ，１３Ｇ，１３Ｂ、これらの各液晶パネルで生成された画像を合成するクロスダイックプリズム１４、合成された画像を投射する投射レンズ３を備える。プロジェクタ１は、また、ランプ１１を駆動するランプ駆動回路１１Ａ、液晶パネル１３Ｒ，１３Ｇ，１３Ｂに画像情報を供給する画像処理回路１３Ａ、ランプ１１および／または液晶パネル１３Ｒ，１３Ｇ，１３Ｂを冷却するためのファン１５、ファン１５を駆動するためのファン駆動回路１５Ａ、音声を出力するスピーカ１６、スピーカ１６に音声情報を供給する音声処理回路１６Ａ、プロジェクタ１へ制御情報や表示データなどを入力するための入力装置を含むユーザーインターフェース１７、各種の演算、判断、制御などを行う中央処理装置（ＣＰＵ）１８、演算や判断などを行うために必要なデータを一時的に記憶する揮発性メモリ１９、ＣＰＵ１８を動作させるための各種プログラムや各種データを読み出し可能に記憶して保持する不揮発性メモリ２０、後述するランプクールダウン処理の処理時間を測定するタイマ２１、および商用電源を取り込みそれを使用可能な状態に変圧などしてプロジェクタ１内の各回路や装置に必要な電力を供給する電源回路２２を備える。なお、ランプ駆動回路１１Ａ、画像処理回路１３Ａ、ファン駆動回路１５Ａ、音声処理回路１６Ａ、ユーザーインターフェース１７、メモリ１９，２０、タイマ２１、並びに電源回路２２は、ＣＰＵ１８により制御される。
【００１４】
上記のプロジェクタ１は、電源スイッチ４がＯＮされると、ランプ駆動回路１１Ａによりランプ１１が点灯される。そして、ランプ１１からの照明光を色光分離光学系１２で赤（Ｒ）、緑（Ｇ）、青（Ｂ）の色光に分離させ、分離した各色光を画像のＲＧＢ信号のそれぞれに対応して設けられた液晶パネル１３Ｒ，１３Ｇ，１３Ｂに照射して画像を表示させた後、それぞれの画像をクロスダイクロイックプリズム１４で合成して、その合成画像を投射レンズ３からスクリーン２５などに投射するようにしたものである。また、その画像表示に合わせて、音声処理回路１６Ａからの音声情報に従ってスピーカ１６から音声が出力される。
なお、電源スイッチ４がＯＮされている間、ファン駆動回路１５Ａはプロジェクタ内部の温度に対応してＣＰＵ１８などにより自動的に制御され、これによりプロジェクタの内部は所定値以下の温度に維持される。
また、電源スイッチ４がＯＦＦされると、予め定めた所定時間またはプロジェクタ内部が予め定めた所定温度になるまで、ファン１５がファン駆動回路１５Ａにより駆動される、いわゆるランプクールダウン処理が実行される。
【００１５】
（ii）プロジェクタの光学系の構成および作用
図３は上記プロジェクタ１の光学系を示す構成図であり、この図３を参照しながら、その光学系の構成および作用を以下に説明する。
【００１６】
この光学系は、照明光学系３０、色光分離光学系１２、リレー光学系２５、液晶パネル１３Ｒ，１３Ｇ，１３Ｂ、色光合成のためのクロスダイクロイックプリズム１４、および投射レンズ３などから構成されている。
【００１７】
照明光学系３０は、ランプ１１、リフレクタ３１、インテグレータレンズを構成する第１および第２レンズアレイ３２，３４、光の進行方向を調整する反射ミラー３３、および重畳レンズ３５とを備えている。なお、照明光の進行方向の調整が不要な構成の場合には反射ミラー３３は不要である。
【００１８】
第１レンズアレイ３２は、略矩形状の輪郭を有する小レンズ３２１がＭ行Ｎ列のマトリクス状に配列された構成を有している。各小レンズ３２１は、ランプ１１から入射された平行な光束を複数の（すなわちＭ×Ｎ個の）部分光束に分割し、各部分光束を第２レンズアレイ３４の近傍で結像させる。各小レンズ３２１の輪郭の形状は、液晶パネル１３Ｒ，１３Ｇ，１３Ｂの画像形成領域の形状とほぼ相似形をなすように設定されている。例えば、液晶パネルの画像形成領域のアスペクト比（横と縦の寸法の比率）が４：３であるならば、各小レンズのアスぺクト比も４：３に設定される。
また、第２レンズアレイ３４も、第１レンズアレイ３２の小レンズ３２１に対応して、小レンズ３４１がＭ行Ｎ列のマトリクス状に配列された構成を有している。
【００１９】
色光分離光学系１２は、２枚のダイクロイックミラー４１，４２と反射ミラー４３とを備え、照明光学系３０の重畳レンズ３５から出射される光を、赤、緑、青の３つの色光に分離する機能を有している。
リレー光学系２５は、ダイクロイックミラー４２からの透過光に対応する光路で、入射側レンズ５４、反射ミラー７１，７２、およびリレーレンズ７３を備えている。
【００２０】
液晶パネル１３Ｒ，１３Ｇ，１３Ｂは、例えば、ポリシリコンＴＦＴをスイッチング素子として用いたもので、クロスダイクロイックプリズム１４の３側面と対向するように、クロスダイクロイックプリズム１４に固定部材を介して接着固定されている。また、各液晶パネル１３Ｒ，１３Ｇ，１３Ｂの光入出射面側には、入射側偏光板６０Ｒ，６０Ｇ，６０Ｂが、そして光出射面側には出射側偏光板６１Ｒ，６１Ｇ，６１Ｂがそれぞれ配置されている。
【００２１】
クロスダイクロイックプリズム１４は、赤、緑，青の３色の色光を合成してカラー画像を形成するもので、赤光を反射する誘電体多層膜と、青光を反射する誘電体多層膜とが、４つの直角プリズムの界面に沿って略Ｘ字状に形成され、これらの誘電体多層膜によって上記３つの色光が合成される。そして、クロスダイクロイックプリズム１４の出射面側に、投射レンズ３が配置されている。
【００２２】
続いて、上記光学系の作用を説明する。ランプ１１から射出された光はリフレクタ３１で反射されて、第１および第２レンズアレイ３２，３４で構成されるインテグレータレンズに入る。インテグレータレンズは、第１レンズアレイ３２の各レンズセルで形成される像を、第２レンズアレイ３４および重畳レンズ３５により各液晶パネル１３Ｒ，１３Ｇ，１３Ｂの画像表示面に結像させることで、光の利用率を向上させかつ上記画像表示面の照明むらを改善する作用を果たす。重畳レンズ３５を出た光は、続いて色光分離光学系１２に入る。
【００２３】
色光分離光学系１２の第１ダイクロイックミラー４１では、照明光学系３０から出射された光束の赤色光成分を反射するとともに、青色光成分と緑色光成分とを透過させる。第１ダイクロイックミラー４１によって反射した赤色光は、反射ミラー４３を介して、フィールドレンズ５１に入り、さらに赤色光用の液晶パネル１３Ｒに達する。このフィールドレンズ５１は、各部分光束をその中心軸（主光線）に対して平行な光束に変換する。他の液晶パネル１３Ｇ，１３Ｂの前に設けられたフィールドレンズ５２，５３も同様に作用する。
【００２４】
第１ダイクロイックミラー４１を透過した青色光と緑色光のうちで、緑色光は第２ダイクロイックミラー４２によって反射され、フィールドレンズ５２を通って緑色光用の液晶パネル１３Ｇに達する。一方、青色光は第２ダイクロイックミラー４２を透過してリレー光学系２５を通り、さらにフィールドレンズ５３を通って青色光用の液晶パネル１３Ｂに達する。
【００２５】
色光分離光学系１２で分離された赤、緑、青の各色光は、液晶パネル１３Ｒ，１３Ｇ，１３Ｂに入射するにあたり、入射側偏光板６０Ｒ，６０Ｇ，６０Ｂで特定の偏光光のみとされる。この後、各偏光光は、各液晶パネル１３Ｒ，１３Ｇ，１３Ｂにおいて画像処理回路１３Ａより与えられた画像情報に従って変調され、出射側備光板６１Ｒ，６１Ｇ，６１Ｂに出射される。この出射側偏光板６１Ｒ，６１Ｇ，６１Ｂにおいては、変調光のうちの特定の偏光光のみが透過し、クロスダイクロイックプリズム１４に入射する。そして、各色光はクロスダイクロイックプリズム１４で合成されて合成光となり、投射レンズ３からスクリーン２５にカラー画像として投射される。
【００２６】
なお、照明光学系３０の所定位置、例えば、第２レンズアレイ３４と重畳レンズ３５との間に、ランプ１１からのＰ偏光およびＳ偏光の双方を含む照明光を、その一方の偏光光に揃える偏光ビームスプリッタを配置すると、液晶パネル１３Ｒ，１３Ｇ，１３Ｂにおいて、ランプ１１から入射した光を無駄にすることなく、そのほぼ全てを利用することが可能となる。
【００２７】
（iii）ランプのクールダウン処理
次に、本発明の実施形態に係るクールダウン処理正否カウントの処理手順を、図４および図５に示すフローチャートを参照しながら説明する。
【００２８】
（クールダウン処理正否カウント方法その１）
図４は本発明の実施形態に係るクールダウン処理正否カウントの処理手順を示すフローチャートである。
電源スイッチ４がＯＮされると、不揮発性メモリ２０から前回までのランプ点灯回数値とクールダウン処理正常終了回数値が揮発性メモリ１９に読み出され（ステップＳ１）、さらにランプ１１の点灯が行われる（ステップＳ２）。その際、ランプ１１が点灯したか否かが判断され（ステップＳ３）、それが点灯していない場合にはエラー処理に進む。このエラー処理については、本発明の範囲外なのでその説明は省略する。なお、ランプ１１点灯の有無は、例えば液晶パネル１３Ｒなどに照射される光の有無を光センサなどで検知することで可能である。  ステップＳ３でランプ１１の点灯が確認されると、揮発性メモリ１９のランプ点灯回数値に１を加算する（ステップＳ４）。そして、以後は通常のプロジェクタ使用が行われ（ステップＳ５）、その間、電源スイッチ４がＯＦＦされた否かが繰り返し判断される（ステップＳ６）。この電源スイッチ４のＯＦＦ判断も、例えば液晶パネル１３Ｒなどに照射される光の有無を光センサなどで検知することで可能である。
電源スイッチ４のＯＦＦが確認されると、先に行ったランプ点灯回数値の加算結果を不揮発性メモリ２０に書き込む（ステップＳ７）。
続いて、ランプ１１のクールダウン処理が行われる（ステップＳ８）。そして、このクールダウン処理の開始から終了までの時間がタイマ２１で測定され、その計測値が予め定めたクールダウン処理時間を満たしたか否かすなわち正常終了されたか否かが判断される（ステップＳ９）。上記計測値が予め定めたクールダウン処理時間を満たした場合には、クールダウン処理の正常終了が行われたと判断し、揮発性メモリ１９の正常終了回数値に１を加算し（ステップＳ１０）、その加算結果を不揮発性メモリ２０に書き込む（ステップＳ１１）。なお、上記計測値が予め定めたクールダウン処理時間を満たなかった場合には、何もせずにそのまま終了となる。
【００２９】
この結果、不揮発性メモリ２０には、それまでにランプ１１の点灯が行われた全部の回数値と、クールダウン処理の正常終了が行われた回数値とが記憶されていることになる。従って、後にプロジェクタの動作不良などが発生した場合には、この不揮発性メモリ２０を参照することで、ランプ１１の全点灯回数値とクールダウン処理の正常終了回数値とから、クールダウン処理が正常終了しなかったすなわち異常終了した回数を知ることができる。
【００３０】
（クールダウン処理正否カウント方法その２）
図５は本発明の他の実施形態に係るクールダウン処理正否カウントの処理手順を示すフローチャートである。
電源スイッチ４がＯＮされると、タイマ２１へのアクセスが実行され（ステップＳ２１）、タイマ２１の計測値が予め定めたクールダウン処理時間の途中で停止しているかどうかを判断する（ステップＳ２２）。タイマ２１がクールダウン処理時間を計測完了する前に停止していた場合には、前回のプロジェクタ終了時に異常終了があったと判断し、不揮発性メモリ２０から前回までの異常終了回数値を揮発性メモリ１９に読み出してその値に１を加算し、その加算結果を不揮発性メモリ２０に書き込む（ステップＳ２３）。一方、ステップＳ２２で、異常終了の判断がなされなかった場合には、そのまま次に進む。
続いて、ランプ１１の点灯が行われる（ステップＳ２４）。その際、ランプ１１が点灯したか否かが判断され（ステップＳ２５）、それが点灯していない場合にはエラー処理に進む。このエラー処理については、本発明の範囲外なのでその説明は省略する。
ステップＳ２５でランプ１１の点灯が確認されると、前回までのランプ点灯回数値を不揮発性メモリ２０から揮発メモリ１９に読み出して、その点灯回数値に１を加算する（ステップＳ２６）。このステップＳ２６および対応する後のステップ２９の処理は、本発明の実施には必ずしも必要なものではないが、ランプの点灯回数を知っておくことはランプ交換のための有益な情報となるので行っている。
そして、以後は通常のプロジェクタ使用が行われ（ステップＳ２７）、その間、電源スイッチ４がＯＦＦされた否かが繰り返し判断される（ステップＳ２８）。
電源スイッチ４のＯＦＦが確認されると、先に行ったランプ点灯回数値加算の結果を不揮発性メモリ２０に書き込む（ステップＳ２９）。
続いて、ランプ１１のクールダウン処理が始まると共に、タイマ２１によりその処理時間の測定が開始される（ステップＳ３０）。そして、このクールダウン処理の途中で、電源コード７がコンセントから抜かれるようなプロジェクタ１への電源入力が遮断された場合には（ステップＳ３１）、タイマ２１にそれまでの測定データを一時的に保存させておく（ステップＳ３２）。これには、例えば、パソコンで作成したデータなどを記憶させることなくパソコンの電源を遮断した場合に、次回の電源投入時には電源遮断前のバックアップデータが保存されている、というような手段を利用して行うことができる。一方、クールダウン処理の途中でプロジェクタ１への電源入力が遮断されなければ、予め定めた所定時間経過後、クールダウン処理を終了し、かつタイマ２１での測定を終了する（ステップＳ３３）。
【００３１】
この結果、ランプ１１の電源を入れると、不揮発性メモリ２０には、それまで行われたクールダウン処理の異常終了回数値が記憶されていることになるため、後にプロジェクタの動作不良などが発生した場合には、この不揮発性メモリ２０を参照することで、クールダウン処理の異常終了回数を直接得ることができる。
【００３２】
なお、上記方法その１およびその２では、クールダウン処理の完了または終了状態の監視にタイマ２１を用いたが、タイマ２１および所定時間に代えて、プロジェクタ内部（特にランプ１１の周辺）の温度を測定する温度計を用い、さらに予め定めた所望のプロジェクタ内部温度を設定して、温度計とその所望温度とにより、クールダウン処理の完了または終了状態を監視してもよい。
また、上記方法その１およびその２にあっては、その処理を必ずしも図４または図５のフローチャートに示した手順と同じ手順で行う必要はなく、ランプ点灯回数およびクールダウンの正常終了回数または、クールダウンの異常終了回数が、最終的に不揮発性メモリ２０から読み出せるような状態となる、いかなる手順としてもよい。
【００３３】
また、上記方法その２おいて、クールダウン処理の異常終了を判断するために、タイマ２１に異常終了を示す情報を残しておいて次回にそれにアクセスするようにしたが、クールダウン処理の異常終了の判断には他の方法を採用してもよい。例えば、クールダウン処理が正常終了した場合のみそれを表示するフラグを立てることにしておき、次回の電源投入時にそのフラグの有無をチェックすることで、前回のクールダウン終了が異常終了か否かを判別するようにしてもよい。
【００３４】
ところで、上記実施形態では、液晶パネルがＲＧＢ信号にそれぞれ対応して３個枚設けられた３板式プロジェクタを例に説明したが、本発明のプロジェクタは、他の個数の液晶パネルを採用することも可能であり、例えば、液晶パネルを１枚使用したいわゆる単板式プロジェクタとすることもできる。
また、液晶パネルは、光を透過して変調する透過型のものであったが、入射した光を反射しつつ変調して出射する反射型のものであってもよい。
さらに、本発明は、画像をスクリーンの前面から投射するフロント型プロジェクタおよび画像をスクリーンの背面から投射するリア型プロジェクタのいずれにも適用可能である。
【００３５】
【発明の効果】
本発明のプロジェクタは、照明用ランプのＯＮからＯＦＦへの切り換え時におけるクールダウン処理の終了状態を監視してその正常終了または異常終了の回数を記憶するようにしているので、後の修理などの際にそのデータを参照して不具合の発見に役立てることが可能となる。
【図面の簡単な説明】
【図１】本発明の実施形態に係るプロジェクタの外観を示す斜視図。
【図２】本発明の実施形態に係るプロジェクタの主な構成を示すブロック図。
【図３】本発明の実施形態に係るプロジェクタの光学系を示す構成図。
【図４】本発明の実施形態に係るクールダウン処理正否カウントの処理手順を示すフローチャート。
【図５】本発明の他の実施形態に係るクールダウン処理正否カウントの処理手順を示すフローチャート。
【符号の説明】
１  プロジェクタ
３  投射レンズ
４  電源スイッチ
５  電源ＯＮ表示ＬＥＤ
６  クールダウンＯＮ表示ＬＥＤ
７  電源コード
１１  ランプ
１１Ａ  ランプ駆動回路
１２  色光分離光学系
１３Ａ  画像処理回路
１３Ｂ，１３Ｇ，１３Ｒ  液晶パネル
１４  クロスダイクロイックプリズム
１５  ファン
１５Ａ  ファン駆動回路
１７  ユーザーインターフェース
１８  中央処理装置（ＣＰＵ）
１９  揮発性メモリ
２０  不揮発性メモリ
２１  タイマ
２２  電源回路
【図１】
0004016685.tif 000002
【図２】
0004016685.tif 000003
【図３】
0004016685.tif 000004
【図４】
0004016685.tif 000005
【図５】
0004016685.tif 000006